(57)【要約】      （修正有）【課題】コンバインからの穀粒の排出を簡単に行うとともにコンバインの大型化を防止する穀粒搬送装置を提供する。【解決手段】本考案の穀粒搬送は、穀粒を貯留可能な運搬用コンテナ２と、この運搬用コンテナに固定された動力源と、この動力源に接続され、前記運搬用コンテナに前記穀粒を搬入する可撓管４と、前記動力源に接続され、前記運搬用コンテナから前記穀粒を搬出する搬出手段とを備えているので、コンバインの動力を用いずに、運搬用コンテナに固定された動力源を用いて、穀粒をコンバインから可撓管を介して運搬用コンテナ２内に搬入し、また、穀粒を運搬用コンテナから排出する。【選択図】図１
0003101994.tif 000002
【実用新案登録請求の範囲】
【請求項１】
穀粒を貯留可能な運搬用コンテナと、
この運搬用コンテナに固定された動力源と、
この動力源に接続され、前記運搬用コンテナに前記穀粒を搬入する可撓管と、
前記動力源に接続され、前記運搬用コンテナから前記穀粒を搬出する搬出手段とを備えていることを特徴とする穀粒搬送装置。
【請求項２】
穀粒を貯留可能な運搬用コンテナと、この運搬用コンテナに固定された動力源と、この動力源に接続され、前記運搬用コンテナに前記穀粒を搬入する可撓管と、前記動力源に接続され、前記運搬用コンテナから前記穀粒を搬出する搬出手段とを備え、前記可撓管の一端は、前記動力源に着脱可能に接続され、前記可撓管の他端は、コンバインの脱穀装置の排出口に設けられた収集タンクに着脱可能に接続されていることを特徴とする穀粒搬送装置。
【請求項３】
穀粒を貯留可能な運搬用コンテナと、この運搬用コンテナに固定された動力源と、この動力源に接続され、前記運搬用コンテナに前記穀粒を搬入する可撓管と、前記動力源に接続され、前記運搬用コンテナから前記穀粒を搬出する搬出手段とを備え、前記可撓管の一端は、前記動力源に着脱可能に接続され、前記可撓管の他端は、コンバインの脱穀装置の排出口に設けられた収集タンクに着脱可能に接続され、前記可撓管は、前記動力源によって回転するばねを内部に備えていることを特徴とする穀粒搬送装置。
【請求項４】
穀粒を貯留可能な運搬用コンテナと、この運搬用コンテナに固定された動力源と、この動力源に接続され、前記運搬用コンテナに前記穀粒を搬入する可撓管と、前記動力源に接続され、前記運搬用コンテナから前記穀粒を搬出する搬出手段とを備え、前記可撓管の一端は、前記動力源に着脱可能に接続され、前記可撓管の他端は、コンバインの脱穀装置の排出口に設けられた収集タンクに着脱可能に接続され、
前記搬出手段は、前記運搬用コンテナの下部にスクリューコンベヤを収納した搬出空間部と、前記運搬用コンテナの収納部および前記搬出空間部を仕切る開閉板とを備え、
前記スクリューコンベヤは、前記動力源にクラッチを介して動力伝達の有無を切替え可能に設けられ、
前記開閉板は、前記搬出空間部の開口面積を調整可能に設けられていることを特徴とする穀粒搬送装置。
【請求項５】
穀粒を貯留可能な運搬用コンテナと、この運搬用コンテナに固定された動力源と、この動力源に接続され、前記運搬用コンテナに前記穀粒を搬入する可撓管と、前記動力源に接続され、前記運搬用コンテナから前記穀粒を搬出する搬出手段とを備え、前記可撓管の一端は、前記動力源に着脱可能に接続され、前記可撓管の他端は、コンバインの脱穀装置の排出口に設けられた収集タンクに着脱可能に接続され、前記動力源はエンジンであることを特徴とする穀粒搬送装置。
【考案の詳細な説明】
【技術分野】
【０００１】
本考案は、コンバインにより脱穀された穀粒を搬送する穀粒搬送装置に関する。
【背景技術】
【０００２】
従来、コンバインで脱穀された穀粒は、コンバイン上で袋詰めされていた。袋詰めされた穀粒は、一袋ごとにトラック等の搬送手段の荷台に人力で載せられ、乾燥機を備えた施設に運搬されていた。この袋詰めされた穀粒の重量は、一袋あたり約３０ｋｇもあり、また、作付け面積１０ａあたり約２０袋の穀粒を人力で運搬するのは大変な重労働であった
。
【０００３】
このため近年では、穀粒を貯留するタンクと、穀粒をタンクから排出する装置をコンバインに内蔵させ、コンバインからの穀粒の排出を簡単に行うことができるようにした穀粒排出装置が考案されている（特許文献１参照）。
【０００４】
【特許文献１】特開平１０−７５６４４号公報  （第１−２頁、第１図）
【考案の開示】
【考案が解決しようとする課題】
【０００５】
しかしながら、特許文献１に記載された穀粒排出装置は、穀粒が粒の状態のまま貯留および排出されるため、穀粒の搬送手段にはコンテナを使用する必要が生じる。また、コンテナに貯留された穀粒を乾燥機に投入するためには、コンテナから乾燥機へ移載するための機構をコンテナに設ける必要がある。
【０００６】
このため、穀粒の搬出装置を内蔵したコンバインは、移載装置付きのコンテナと併せて使用する必要があるため、袋詰め作業の改善を望む作業者は、搬出装置付きのコンバインと、コンテナとをセットで購入し、使用する必要がある。
【０００７】
ここで、従前の袋詰め式のコンバインを改造して穀粒の搬出機構を追加することも考えられるが、穀粒の搬出装置の動力源は、コンバインの動力であるエンジンを用いているため、コンバインにタンクの他に穀粒の搬出機構を追加することは困難である。
【０００８】
また、コンバインに穀粒排出装置を内蔵させるため、コンバインが大型化し、機構が複雑になるという問題がある。
そこで本考案が解決しようとする課題は、コンバインからの穀粒の排出を簡単に行うとともにコンバインの大型化を防止する穀粒搬送装置を提供することにある。
【課題を解決するための手段】
【０００９】
前記課題を解決するため、本考案の穀粒搬送は、穀粒を貯留可能な運搬用コンテナと、この運搬用コンテナに固定された動力源と、この動力源に接続され、前記運搬用コンテナに前記穀粒を搬入する可撓管と、前記動力源に接続され、前記運搬用コンテナから前記穀粒を搬出する搬出手段とを備えているので、コンバインの動力を用いずに、運搬用コンテナに固定された動力源を用いて、穀粒をコンバインから可撓管を介して運搬用コンテナ内に搬入し、また、穀粒を運搬用コンテナから排出するという作用を有する。
【００１０】
前記可撓管の一端を、前記動力源に着脱可能に接続し、前記可撓管の他端を、コンバインの脱穀装置の排出口に設けられた収集タンクに着脱可能に接続すると、コンバインから可撓管を外した状態で稲刈りおよび脱穀を行い、穀粒を収集タンクから運搬用コンテナに搬出するときだけ、可撓管をコンバインおよび動力源に接続するという作用を有する。
【００１１】
前記可撓管に、前記動力源によって回転するばねを内部に設けると、ばねを回転させることによって、穀粒を収集タンクから運搬用コンテナに搬出するという作用を有する。
【００１２】
前記搬出手段に、前記運搬用コンテナの下部にスクリューコンベヤを収納した搬出空間部と、前記運搬用コンテナの収納部および前記搬出空間部を仕切る開閉板とを設け、前記スクリューコンベヤを、前記動力源にクラッチを介して動力伝達の有無を切替え可能に設け、前記開閉板を、前記搬出空間部の開口面積を調整可能に設けると、開口面積を広くして穀粒の単位時間あたりの排出量を増加させ、また、開口面積を狭くして穀粒の単位時間あたりの排出量を減少させるという作用を有する。
【００１３】
前記運搬用コンテナを、搬送手段の荷台に着脱可能に設け、前記動力源をエンジンとすると、運搬用コンテナから穀粒を排出するときに商用電源を用いることができない屋外であっても作業が可能になる。すなわち、従来のように、スクリューコンベヤの動力源を電気とした場合は、移載作業が可能となる場所が著しく制限されるが、動力源をエンジンとすることによって、例えば、駐車場のような場所で他のコンテナに移載したり、電源を他の用途に使用したりしている場合でも問題なく穀粒を排出することができる。
【考案の効果】
【００１４】
本考案によれば次の効果を奏する。
（１）穀粒を貯留可能な運搬用コンテナと、この運搬用コンテナに固定された動力源と、この動力源に接続され、運搬用コンテナに前記穀粒を搬入する可撓管と、動力源に接続され、運搬用コンテナから穀粒を搬出する搬出手段とを備え、コンバインの動力を用いずに、運搬用コンテナに固定された動力源を用いて、穀粒をコンバインから可撓管を介して運搬用コンテナ内に搬入し、また、穀粒を運搬用コンテナから排出するので、コンバインからの穀粒の排出を簡単に行うとともにコンバインの大型化を防止することができる。
（２）可撓管の一端を、動力源に着脱可能に接続し、可撓管の他端を、コンバインの脱穀装置の排出口に設けられた収集タンクに着脱可能に接続すると、コンバインから可撓管を外した状態で稲刈りおよび脱穀を行い、穀粒を収集タンクから運搬用コンテナに搬出するときだけ、可撓管をコンバインおよび動力源に接続するので、稲刈り時のコンバインの大型化および重量の増加を防止することができる。
（３）可撓管に、動力源によって回転するばねを内部に設けると、ばねを回転させることによって、穀粒を収集タンクから運搬用コンテナに搬出し、所定高さの運搬用コンテナ内に貯留することができる。また、管の両端位置を自由に配置することができるので、位置の調整が簡単になる。
（４）搬出手段に、運搬用コンテナの下部にスクリューコンベヤを収納した搬出空間部と、搬出手段および搬出空間部を仕切る開閉板とを設け、スクリューコンベヤを、動力源にクラッチを介して動力伝達の有無を切替え可能に設け、開閉板を、搬出空間部の開口面積を調整可能に設けると、開口面積を広くして穀粒の単位時間あたりの排出量を増加させ、また、開口面積を狭くして穀粒の単位時間あたりの排出量を減少させるので、下流側に配置した乾燥機等の穀粒処理装置の処理量にあわせて、排出量を調整することができる。
（５）動力源をエンジンとすると、運搬用コンテナから穀粒を排出するときに商用電源を用いることができない屋外であっても作業が可能になり、使用場所が限定されず、使い勝手が向上する。
【考案を実施するための最良の形態】
【００１５】
以下、本考案の実施の形態について説明する。図１は本考案の一実施の形態の穀粒搬送装置の構成図、図２は同穀粒搬送装置の断面図、図３は同穀粒搬送装置の部分平断面図である。
【００１６】
図１〜図３に示すように、本考案の穀粒搬送装置１は、外形を直方体状に形成されてトラック６の荷台に固定されている。穀粒搬送装置１は、穀粒を貯留可能な運搬用コンテナ２と、この運搬用コンテナ２に固定された動力源の一例であるエンジン３と、このエンジン３に着脱可能に接続され、運搬用コンテナ２に穀粒を搬入する可撓管４と、エンジン３に接続され、運搬用コンテナ２から穀粒を搬出する搬出手段５とを備えている。
【００１７】
運搬用コンテナ２は、矩形枠内に上部を開口させて設けられ、下部は、断面Ｖ字状に形成されて内部に収納部８を形成している。
【００１８】
搬出手段５は、運搬用コンテナ２の下部中央の前後方向にスクリューコンベヤ６を収納した搬出空間部７と、運搬用コンテナ２の収納部および搬出空間部７を仕切る開閉板９とを備えている。開閉板９にはラック（図示せず）が形成されており、これにはピニオン１０が噛合している。さらに、ピニオン１０には、ハンドル（図示せず）が接続されている。ハンドルを操作することによって、開閉板９を水平方向に移動させ、搬出空間部７の開口面積を調整することができる。
【００１９】
スクリューコンベヤ６の基部には、マグネットクラッチを介してＶプーリ１１が設けられている。Ｖプーリ１１とエンジン３の出力軸に設けられたＶプーリ１３とはＶベルト１２により動力伝達可能に接続されている。すなわち、スクリューコンベヤ６は、エンジン３にマグネットクラッチを介して動力伝達の有無を切替え可能に設けられている。
【００２０】
Ｖベルト１２の上部には、ギヤボックス１６に接続されたＶプーリ１４が配置され、Ｖプーリ１４は、Ｖベルト１７を介してＶプーリ１３に接続されている。
【００２１】
Ｖプーリ１４より下側であって、Ｖプーリ１１の直上部には、Ｖプーリ１５が配置されている。Ｖプーリ１５は、Ｖベルト１８を介してＶプーリ１４に接続されている。また、Ｖプーリ１５は、ギヤボックスを介して、スクリューコンベヤ１９に接続されている。
【００２２】
可撓管４は、エンジン３の動力によって回転するばね２０を内部に備えている。可撓管４の両端部には、固定用円板２８が、２〜３本の棒状フレームを介して固定配置されており、ばね２０の両端部は、固定用円板２８に端部を固定されている。
可撓管４の一端は、運搬用コンテナ２の側部から運搬用コンテナ２内部に挿入され、ばね２０は、ギヤボックス１６に着脱可能に接続されている。また、運搬用コンテナ２内に配置された可撓管４の端部は、スクリューコンベヤ１９の下部に傾斜管２９を介して接続されている。
【００２３】
図４は、コンバイン２１の収集タンク２２の平断面図である。
図１、図４に示すように、収集タンク２２の下部は、断面Ｖ字状に形成され、中央の下端部には、円弧状の切欠き部２５が形成されている。切欠き部２５には、円筒状の回転蓋２６が設けられている。回転蓋２６の側面には、長孔２７が形成されている。回転蓋２６は、収集タンク２２の外部から回動させることができる。
【００２４】
可撓管４の他端は、コンバイン２１の脱穀装置２３の排出口２４の下部に設けられた収集タンク２２の回転蓋２６内に着脱可能に接続されている。すなわち、可撓管４の端部は、回転蓋２６内に連通する円形孔に収集タンク２２の側方から挿入され、ワンタッチロック等の固定手段により固定することができる。
【００２５】
次に、穀粒搬送装置１を用いた穀粒の搬送手順について説明する。コンバイン２１に設けた収集タンク２２の容量は、脱穀装置２３内の貯留量と合わせると、約１００ｋｇである。
【００２６】
（脱穀）
まず、コンバイン２１を用いて稲の刈り取りおよび脱穀を行う。このとき、可撓管４は、コンバイン２１から外した状態となっており、収集タンク２２の回転蓋２６は、長孔２７が閉じた状態にしている。この状態で、脱穀を行い、穀粒を、収集タンク２２内に投入すると、長孔２７が閉じているので、穀粒は、収集タンク２２内に貯留される。
【００２７】
コンバイン２１の収集タンク２２内や脱穀装置２３内には、穀粒の貯留レベルの上限を検知するセンサと、警報装置が設けられており、コンバイン２１を運転する作業者は警報装置によって、穀粒が満タンになったことを知ることができ、刈り取りおよび脱穀作業を中断する。
【００２８】
次にコンバイン２１の収集タンク２２および脱穀装置２３内が穀粒で満タンになると、穀粒搬送装置１を搭載したトラック３０に隣接する位置まで、コンバイン２１を移動させる。
【００２９】
（穀粒搬入）
そして、ばね２０を内蔵した可撓管４を、収集タンク２２および運搬用コンテナ２に接続する。
【００３０】
収集タンク２２の回転蓋２６を回転させて、長孔２７が上方を向くようにする。このようにすると、収集タンク２２内の穀粒が長孔２７から切欠き部２５内に入る。
【００３１】
穀粒搬送装置１のエンジンを駆動させると、ギヤボックス１６に連結されたばね２０が振動しながら回転する。ばね２０が振動しながら回転することによって、収集タンク２２内の穀粒は、可撓管４内を移動して運搬用コンテナ２内に搬送される。運搬用コンテナ２内に入った穀粒は、傾斜管２９内に落下して、垂直配置されたスクリューコンベヤ１９の下端部に入る。
【００３２】
穀粒は、スクリューコンベヤ１９によって上端部まで運ばれ、上端部から運搬用コンテナ２の中央側に吹き飛ばされる。このように構成することによって、穀粒は、運搬用コンテナ２内に略均一に貯留される。また、可撓管４の取付け位置を下部に設定できるので、着脱時に運搬用コンテナ２の上部まで作業者が昇降する必要がなく、作業を簡単に行うことができる。
【００３３】
このとき、Ｖプーリ１１への動力の伝達は切断しているので、搬出手段５は非稼働状態となっている。
【００３４】
コンバイン２１内の穀粒が空になったら、エンジン３を止めて可撓管４をコンバイン２１から取外す。このようにして、コンバイン２１から運搬用コンテナ２への穀粒の移載を繰り返す。
【００３５】
（穀粒搬出）
運搬用コンテナ２がいっぱいになったら、トラック３０を運転して、乾燥機がある納屋等の設備に移動する。そして、ハンドルを操作して、運搬用コンテナの開閉板９を開き、穀粒が搬出空間部７内に入るようにする。
【００３６】
そして、エンジンを作動させ、Ｖプーリ１１へ動力が伝達されるようにマグネットクラッチを切り替えると、スクリューコンベヤ６が回転して、穀粒が運搬用コンテナ２の後端部から排出される。
【００３７】
ここで、開閉板９の開口面積を調整することによって、穀粒の排出量を調整し、穀粒搬送装置１を、乾燥機の処理量に合わせて作動させることができる。
【００３８】
なお、スクリューコンベヤ１９を省略して、可撓管４の取付け位置を運搬用コンテナの上部中央に変更することも可能である。このように構成することにより、部品点数を少なくすることができる。
【産業上の利用可能性】
【００３９】
本考案は、コンバインにより脱穀された穀粒を搬送する穀粒搬送装置として利用することができ、特に、袋詰め式のコンバインに少しの改造を施して再利用することができる穀粒搬送装置として有用である。
【図面の簡単な説明】
【００４０】
【図１】本考案の一実施の形態の穀粒搬送装置の構成図である。
【図２】同穀粒搬送装置の断面図である。
【図３】同穀粒搬送装置の部分平断面図である。
【図４】コンバインの収集タンクの平断面図である。
【符号の説明】
【００４１】
１  穀粒搬送装置
２  運搬用コンテナ
３  エンジン
４  可撓管
５  搬出手段
６  スクリューコンベヤ
７  搬出空間部
８  収納部
９  開閉板
１０  ピニオン
１１  Ｖプーリ
１２  Ｖベルト
１３  Ｖプーリ
１４  Ｖプーリ
１５  Ｖプーリ
１６  ギヤボックス
１７  Ｖベルト
１８  Ｖベルト
１９  スクリューコンベヤ
２０  ばね
２１  コンバイン
２２  収集タンク
２３  脱穀装置
２４  排出口
２５  切欠き部
２６  回転蓋
２７  長孔
２８  固定用円板
２９  傾斜管
３０  トラック
【図１】
0003101994.tif 000003
【図２】
0003101994.tif 000004
【図３】
0003101994.tif 000005
【図４】
0003101994.tif 000006